(57)【要約】  【課題】  簡単な構成、簡単な操作で、血糖値測定時等の採血操作を行うことができ、取扱性の向上を図ることのできる穿刺器具を提供する。  【解決手段】  穿刺針を保持する穿刺針保持ロッド４と、その回転運動をリンク１９を介して摺動運動に変えて前記穿刺針保持ロッド４を摺動運動させるフライホイール１１と、前記フライホイール１１を回転軸廻りに一定方向へ付勢するための弾性付勢部材１３と、前記フライホイール１１に設けられた、穿刺ボタンと係合する係止部材１６と、前記穿刺ボタン係止部材１６と係合する穿刺ボタン１７と、前記フライホイール１１を一方向にのみ回転させて穿刺準備状態とするセットレバー機構８と、前記セットレバー機構８と係合する弾性部材１４とを備えて、穿刺器具１を構成する。【選択図】  図１
2005176924.tif 000002
【特許請求の範囲】
【請求項１】
先端側に穿刺針を保持する穿刺針保持機構を備えてなる穿刺器具であって、
前記穿刺針保持機構の後方に、その軸方向に往復の摺動運動が可能な穿刺針保持ロッドが設けられ、
前記穿刺針保持ロッドの他方端に、リンク機構が係合され、
前記リンク機構に対し、フライホイールが回転可能に取り付けられ、
前記フライホイールを、その回転軸廻りに一定方向へ付勢する弾性付勢部材が設けられ、
前記フライホイール上には、前記穿刺針保持ロッドと連結した前記リンク機構の他方端の軸となる回転節軸が植設され、
その先端部が、前記フライホイールのある位置での前記回転節軸と当接する穿刺ボタンが、前記穿刺器具の外部から操作可能に設けられ、
前記フライホイール上には、ホイールセットピンがさらに設けられ、
前記ホイールセットピンと係合して、前記フライホイールを、一方向にのみ回転させて穿刺準備位置にセットするセットレバー機構が設けられ、
前記セットレバー機構を、前記穿刺ボタンの先端部と前記回転節軸との当接が外れたとき、初期位置へ戻すための弾性部材が、設けられている、
ことを特徴とする穿刺器具。
【請求項２】
請求項１に記載の穿刺器具において、
前記回転節軸は、前記穿刺器具のボトムカバーの係止部と係合して、前記穿刺針保持ロッドをその軸方向の一往復動作の開始位置に固定し、穿刺の準備位置を決める穿刺準備係止機構を構成する、
ことを特徴とする穿刺器具。
【請求項３】
請求項２に記載の穿刺器具において、
前記弾性付勢部材は、前記フライホイールをその軸周りに一定の回転方向に回転させるよう、前記穿刺準備係止機構に対して、付勢力を与える、
ことを特徴とする穿刺器具。
【請求項４】
請求項３に記載の穿刺器具において、
前記穿刺準備係止機構に付勢力を与える弾性付勢部材が、キックバネよりなる、
ことを特徴とする穿刺器具。
【請求項５】
請求項２に記載の穿刺器具において、
前記穿刺準備係止機構の回転節軸は、穿刺準備状態では、前記フライホイールの回転中心より、前記穿刺針保持ロッド側に配置されている、
ことを特徴とする穿刺器具。
【発明の詳細な説明】
【技術分野】
【０００１】
本発明は、血糖値を測定する場合などに使用する採血用穿刺器具に関し、特に穿刺時の本体の振動や衝撃、また複数回刺しを防止する構成の穿刺器具に関する。
【背景技術】
【０００２】
糖尿病の患者さんは、自分自身で血糖値を一日に数回測定している。この測定時に、指先などから少量の血液を採取する必要がある。そのために、図８に示すように、穿刺器具１０１と言われる装置に、使い捨ての穿刺針１０５を取り付け、その穿刺針１０５によって、指先や腕などを穿刺し、その穿刺した部位からの出血を測定に用いる。
【０００３】
一般的な穿刺器具１０１は筒状の本体部分１３０とキャップ部分１５３から構成されている。筒状本体部分１３０には取り付けた穿刺針１０５を打ち出すための第１のバネ１３２、打ち出した穿刺針１０５を後退させるための第２のバネ１３４、および圧縮された第１のバネ１３２を解放するための発射ボタン１１７を有している。
【０００４】
使用方法は、上記筒状本体部分１３０からキャップ１５３を外し、筒状本体部分１３０に穿刺針１０５を装着し、再度キャップ１５３を筒状本体部分１３０にかぶせる。そして、第１のバネ１３２を圧縮して、穿刺動作を可能な状態とし、キャップ１５３の穿刺部押圧面１３６を、指先などの穿刺部に当て、発射ボタン１１７を押すと、穿刺針１０５が打ち出されて穿刺が行われる。該穿刺が行われた後は、第２のバネ１３４により、穿刺針１０５は即座に指先などから後退することになる。一般的な穿刺器具１０１は、上述した動作によって血液を採取することができるものである（例えば特許文献１参照。）。
【特許文献１】特開２０００−２３７１７２号公報（第３−４頁、第１図）
【発明の開示】
【発明が解決しようとする課題】
【０００５】
しかしながら、上記従来の一般的な穿刺器具１０１は、一度刺した穿刺針１０５が第一のバネ１３２の振動によって振動し、再度同じ場所、あるいはその近傍を穿刺することがあり、さらに穿刺時には大きな音が発生するという問題が有る。
【０００６】
一方、穿刺動作を実行するには、まず血液採取装置（穿刺装置）内の穿刺針を移動、または穿刺方向へ変位させ、すなわち、先端を、穿刺する身体範囲へと向かって移動させ、次に、初期位置へと可能な限り急速に牽引して後退させて止め、また穿刺時の音も可能な限り小さくする必要がある。
【０００７】
従って、本発明は、上記のような従来の問題点を解決するために考案されたもので、穿刺時に穿刺針の穿刺動作を一往復のみさせることで、同一個所を二度三度と複数回穿刺することを防止し、余計な穿刺による痛み、また穿刺針の穿刺時の衝撃音による不快感を無くすことのできる、血液または他の体液採取用の穿刺器具を提供することを目的とする。
【課題を解決するための手段】
【０００８】
上記課題を解決するために、本発明の請求項１にかかる穿刺器具は、先端側に穿刺針を保持する穿刺針保持機構を備えてなる穿刺器具であって、前記穿刺針保持機構の後方に、その軸方向に往復の摺動運動が可能な穿刺針保持ロッドが設けられ、前記穿刺針保持ロッドの他方端に、リンク機構が係合され、前記リンク機構に対し、フライホイールが回転可能に取り付けられ、前記フライホイールを、その回転軸廻りに一定方向へ付勢する弾性付勢部材が設けられ、前記フライホイール上には、前記穿刺針保持ロッドと連結した前記リンク機構の他方端の軸となる回転節軸が植設され、その先端部が、前記フライホイールのある位置での前記回転節軸と当接する穿刺ボタンが、前記穿刺器具の外部から操作可能に設けられ、前記フライホイール上には、ホイールセットピンがさらに設けられ、前記ホイールセットピンと係合して、前記フライホイールを、一方向にのみ回転させて穿刺準備位置にセットするセットレバー機構が設けられ、前記セットレバー機構を、前記穿刺ボタンの先端部と前記回転節軸との当接が外れたとき、初期位置へ戻すための弾性部材が、設けられていることを特徴とするものであり、これにより、針のブレや二度刺しなどによる穿刺時の痛みを軽減することができる。
【０００９】
また、本発明の請求項２にかかる穿刺器具は、請求項１に記載の穿刺器具において、前記回転節軸は、前記穿刺器具のボトムカバーの係止部と係合して、前記穿刺針保持ロッドをその軸方向の一往復動作の開始位置に固定し、穿刺の準備位置を決める穿刺準備係止機構を構成することを特徴とするものであり、これにより、効率的にフライホイールの回転動作を係止することができる。
【００１０】
本発明の請求項３にかかる穿刺器具は、請求項２に記載の穿刺器具において、前記弾性付勢部材は、前記フライホイールをその軸周りに一定の回転方向に回転させるよう、前記穿刺準備係止機構に対して、付勢力を与えることを特徴とするものであり、これにより、簡単な構成で効率的にフライホイールへの付勢力を与えることが可能となる。
【００１１】
本発明の請求項４にかかる穿刺器具は、請求項３に記載の穿刺器具において、前記穿刺準備係止機構に付勢力を与える弾性付勢部材が、キックバネよりなることを特徴とするものであり、これにより、請求項１に記載の穿刺器具により、穿刺針を穿刺位置まで直線的に送出するための駆動力を、簡単な構成で無理なく確実に得ることができる。
【００１２】
本発明の請求項５にかかる穿刺器具は、請求項２に記載の穿刺器具において、前記穿刺準備係止機構の回転節軸は、穿刺準備状態では、前記フライホイールの回転中心より、前記穿刺針保持ロッド側に配置されていることを特徴とするものである。これにより、請求項１に記載の穿刺器具により、フライホイールを確実に止めてから、穿刺動作を行うことができる。
【発明の効果】
【００１３】
本発明によれば、簡単な構成、簡単な操作で、血糖値測定時の採血操作を行うことができる。
特に、従来は血糖値測定のたびに行う採血のための穿刺動作時に、穿刺器具の音や振動があるために操作者が痛みや恐怖を伴うことがあったが、これがなくなることにより、使用者が、採血動作を嫌うこともなくなることになる。
【発明を実施するための最良の形態】
【００１４】
以下、本発明の実施の形態を、図面を参照しながら説明する。
（実施の形態１）
図１は、本発明の実施の形態１による穿刺器具の外観斜視図、図２は、該穿刺器具の内部構成を示す断面図、図３は、該穿刺器具に使用される穿刺針の外観を示す斜視図である。この穿刺器具、及び穿刺針は、血糖値測定時のような少量の採血時に使用される。また、図４は、穿刺操作を行うために、穿刺針を器具本体にセットする操作を示す図である。
【００１５】
図１、及び図２に示すように、本発明の実施の形態１による穿刺器具１は、先端が穿刺針装填口９となる穿刺深さ調節リング４０と、本体上ケース２と、本体ボトムケース３を有し、この本体上ケース２と本体ボトムケース３内に、穿刺針保持ロッド４、リンク機構１９、フライホイール１１、穿刺セットレバー８、穿刺ボタン１７、フライホイールセット用バネ１３等が設けられている。穿刺針保持ロッド４内には、穿刺針５が所定の深さまで挿入されて装填される。
【００１６】
また、穿刺針５は、図３に示すような構成を有し、穿刺針分離溝５ａを境に先端部と後端部とに分けられ、穿刺針分離溝５ａにおいては、樹脂の薄膜（例えば、厚み０.１ｍｍ以下）でつながっている。該穿刺針５は、先端キャップ部１８に埋没した状態でセットされ、またこの先端キャップ部１８の一端には、穿刺後の穿刺針５を抜き取るための穿刺針廃棄キャップ４１を備えている。
【００１７】
ここで、図４を参照しながら、穿刺針５を、穿刺器具１にセットし、穿刺準備をするための操作手順を示す。
【００１８】
まず、穿刺針セットレバー８をセットしない状態で、穿刺器具１の穿刺針装填口９と、穿刺針５との軸を合致させながら、穿刺針５を、穿刺器具１の穿刺針装填口９へ押し込む（図４（ａ））。このとき、穿刺器具１の穿刺針保持ロッド４内に案内された穿刺針５の後端部が、穿刺針保持ロッド４の穿刺針装填室１０の底面を押す位置まで押し込む。この状態においては、穿刺針５は、穿刺針保持ロッド４の穿刺針装填室１０の内壁へ、圧入、嵌合される（図４（ｂ））。ここで、先端キャップ部１８を、捻りながら穿刺器具１から離間させると、穿刺器具１は、穿刺針５を先端キャップ部１８から引き離すことになる。このとき、穿刺針５の先端部近傍の穿刺針分離溝５ａに、樹脂の薄膜を引きちぎる力が発生する。この力に抗して、操作者がさらに力を加えることで、穿刺針５を先端キャップ部１８から引き離すこととなる（図４（ｃ））。
【００１９】
この後、穿刺を行うために穿刺針セットレバー８を、所定の角度だけ矢印Ａの方向に倒すようにすると、図５（ａ）の状態となり、穿刺動作の準備ができる。以下、この準備動作、及び穿刺動作を、図５を参照しながら説明する。
【００２０】
まず、穿刺器具１の先端部にある穿刺深さ調節リング４０を、軸中心に回転させて穿刺深さ調節リング４０の本穿刺器具１の軸方向上の位置をシフトさせることにより、予め決めた穿刺針５の穿刺する深さを設定する。
【００２１】
その後、図４に示すように、穿刺針保持ロッド４内に穿刺針５を装填した後、穿刺針セットレバー８を、図５（ａ）のように、矢印Ａの方向へ所定の角度倒すようにすると、穿刺針セットレバー８の回動中心８ｂに対して、穿刺針セットレバー８と反対位置に位置するホイール回動レバー部８ａが、同時に図５（ａ）の図示右下方向に（反時計回りに）回動する。該ホイール回転レバー部８ａが図示右下方に（反時計回りに）回動することにより、該回動レバー部８ａが、フライホイール１１上に配設されたセットピン１２に当接してこれを回転駆動することで、フライホイール１１が所定角度、回転する。
【００２２】
ここで、穿刺針セットレバー８を図示の矢印Ａの方向へ所定の角度倒すとする状態では、穿刺針セットレバー８の回動中心８ｂと、フライホイール１１の回転中心１１ｂとの間の距離と比較して、穿刺針セットレバー８の回動中心８ｂと、セットピン１２の中心軸との間の距離を長く設定することにより、穿刺針セットレバー８上のホイール回動部（回動レバー部）８ａが、フライホイール１１をセット方向側（図５（ａ）の矢印Ｂ方向）へ回転させることが可能となる。
【００２３】
また、図５（ａ）に示すように、フライホイール１１が所定の角度、回転した位置で、フライホイール１１の上に配設されたホイール係合ピン１６は、フライホイールセットバネ１３により常時押された状態が維持されているため、フライホイール１１は図５（ａ）の矢印Ｂ方向へ（反時計回りに）回転しつづけようとして、所定の回転位置、すなわち、フライホイール１１の回転中心１１ｂと、穿刺針セットレバー８の回動中心８ｂとの間の距離より、ホイール係合ピン１６の中心と、穿刺針セットレバー８の回動中心８ｂとを結んだ距離が長くなった以降の回転位置において、フライホイール１１は、フライホイールセットバネ１３の押圧力のみで自発的に回転を開始し、その後、該回転するフライホイール１１のホイール係合ピン１６の先端部が、回動可能に軸支された穿刺ボタン１７の先端部にあるホイール係合ピン止め部１７ａの先端部と当接したとき、その回転が止まる。
【００２４】
上記のようにしてフライホイール１１が回転するのに伴い、該フライホイール１１の回転運動を穿刺保持ロッド４の摺動運動に変換するリンク１９により、該フライホイール１１に連結された穿刺針保持ロッド４は、穿刺器具１の軸方向に摺動運動する。フライホイール１１上のホイール係合ピン１６と、穿刺針保持ロッド４は、一本のリンク１９によって係合されており、フライホイール１１は、穿刺針セットレバー８により、前述のように決まった方向に（図示反時計方向に）だけ回転する構成となっているため、ホイール係合ピン１６は、穿刺針保持ロッド４から、最初遠ざかる方向へ回転が進行するとともに、穿刺針保持ロッド４は、穿刺器具１の本体内へ沈み込む。その後、前述のように、フライホイール１１のホイール係合ピン１６の先端部が、回動可能に軸支された穿刺ボタン１７の先端部であるホイール係合ピン止め部１７ａによって係合されて回転が止められると、穿刺針保持ロッド４の動きも同時に停止し、フライホイール１１は、フライホイールセットバネ１３の付勢力により、回転する力を貯めた状態となって、セットが完了する（図５（ａ））。
【００２５】
この後、穿刺ボタン１７を押すと、穿刺ボタン１７がその軸１７ｂを中心として回動し、前記のホイール係合ピン止め部１７ａとホイール係合ピン１６との係合が外れて、フライホイール１１は、その軸１１ｂを中心として一気に矢印Ｂ方向に（反時計回りに）回転する。このとき、このフライホイール１１とリンク１９により連結されている穿刺針保持ロッド４は、穿刺器具１内から外側へ向かって摺動運動（直線動）を開始する。その後、フライホイール１１の回転により、穿刺器具１から最大位置まで突き出した位置（図５（ｂ））を通過した後、フライホイールセットバネ１３の押圧力、及びフライホイール１１の慣性力により、穿刺器具１内へ戻る動作を行う。この戻り動作時に、リンク１９の先端のホイール係合ピン１６は、穿刺針セットレバー８の回動中心８ｂと、フライホイール１１の回転中心１１ｂとを結んだラインから最も遠い位置に至り、該位置にて停止するまで、フライホイールセットバネ１３の復元力により、該位置を中心として往復動作をしながら減衰して停止することとなるが、このとき、穿刺針保持ロッド４が、穿刺器具１から突き出す方向には戻らないようにする必要があるため、本体ボトムケース３は、ホイール係合ピン１６の動作を、穿刺位置方向へ返さないように、該ホイール係合ピン１６と係合する逆回転防止ツメ２０を設けており、しかも、該逆回転防止ツメ２０が、ホイール係合ピン１６の回転動作に対して負荷とならないように、上記逆回転防止ツメ２０の先端部に、迎え角２０ａを設けておる（図５（ｃ））。
【００２６】
ここでは、フライホイール１１上のホイール係合ピン１６が所定の位置まで回転すると、可撓性のある逆回転防止ツメ２０の先端と当接する。回転し続けるホイール係合ピン１６が逆回転防止ツメ２０の上面（図示）に載り、該ツメ２０を図示の左下方に押し下げて滑り通り、該上面を通過した瞬間に、逆回転防止ツメ２０が元の状態に戻り、前記ホイール係合ピン１６を係合する。即ち、前記迎え角２０ａは、ホイール係合ピン１６の回転動作に対して負荷とならないよう、該ホイール係合ピン１６が円滑に該逆回転防止ツメ２０の上面に載り、それを通過できるような、好適な角度となっている。このようにして、本穿刺器具は、ホイール係合ピン１６の回転動作に対して負荷とならない、逆回転防止機構を設けているものである（図５（ｃ））。
【００２７】
次に、図６を参照しながら、穿刺動作を終えた後の穿刺針５を、廃棄する動作について説明する。
【００２８】
上述した穿刺動作を終えた状態で、穿刺器具１の穿刺針装填口９側の穿刺深さ調節リング４０を取り外すと、穿刺針５の先端部が露出する（図６（ａ））。この状態で、一端が使用前の穿刺針５の先端部をキャップしていた先端キャップ部１８のもう一端にある、使用後の穿刺針をキャップし、抜き取るための穿刺針廃棄キャップ４１と、穿刺針５の先端部との軸を合致させながら、該穿刺針廃棄キャップ４１に、該穿刺針５の先端部を押し込むようにすると、穿刺針５は穿刺針廃棄キャップ４１へ取り込まれる（図６（ｂ））。その後、先端キャップ部１８を穿刺針５ごと、穿刺器具１から引き抜くことによって、使用済みの穿刺針５の廃棄動作が完了し（図６（ｃ））、穿刺針５は、穿刺針先端部を露出させることなく、安全に容易に廃棄することができる。
【００２９】
従って、以上の一連の操作を繰り返すことにより、血糖値の測定時などに行う穿刺操作を容易に行うことができ、操作者は、穿刺針セットレバー８を回転操作することによって、穿刺のセット動作を完了し、その穿刺準備状態で穿刺ボタン１７を押すことにより、図７に示すように、穿刺、採血動作を行うことができる。
【００３０】
このように、本実施の形態１による採血用穿刺器具では、穿刺針５を保持し、その軸方向に摺動運動が可能な穿刺針保持ロッド４と、軸支されて回転するフライホイール１１と、一端が前記穿刺針保持ロッド４の他端側と係合し、他端がフライホイール１１に植設されたホイール係合ピン１６と係合して、フライホイール１１の回転運動を穿刺針保持ロッド４の摺動運動に変換するリンク１９と、フライホイール１１をその回転軸廻りに一定方向へ付勢するバネ１３と、フライホイールに植設されたセットピン１２を係合して該フライホイール１１を、一方向にのみ回転させて穿刺準備位置にセットするセットレバー８と、その端部がホイール係合ピン１６と当接し、外部から操作可能な穿刺ボタン１７と、本体ケースに配置され、ホイール係合ピン１６を係止する逆回転防止ツメ２０とを設け、ホイール係合ピン１６が、逆回転防止ツメ２０と係合して、穿刺針保持ロッド４をその軸方向の一往復動作の開始位置に固定し、穿刺の準備位置を決める穿刺準備係止機構を構成し、バネ１３は、穿刺準備係止機構に対して付勢力を与えてフライホイール１１をその回転軸廻りに一定方向のみに回転させるようにしたので、簡単な構成で、フライホイール１１を確実に駆動し回転させて、穿刺針を本体装置から突き出して穿刺動作を行い、そののち直ちに後退させることができ、また、逆回転防止ツメ２０により、穿刺針が穿刺器具本体内に後退した後、バネ１３の振動で再び穿刺器具本体から突き出すことを無くすことが可能となり、これにより、穿刺時の本体の振動や衝撃音を防いで、穿刺時の使用者の痛みや不快感を抑えることができる。
【産業上の利用可能性】
【００３１】
本発明に係る採血用穿刺器具は、穿刺時の本体の振動や衝撃を、さらには複数回刺しを防止することができる効果を有するものであって、血糖値等を測定する場合などに使用する採血用穿刺器具として有用である。
【図面の簡単な説明】
【００３２】
【図１】本発明の実施の形態１による穿刺器具の外観斜視図である。
【図２（ａ）】上記実施の形態１による穿刺器具の内部構成を示す断面図である。
【図２（ｂ）】上記実施の形態１による穿刺器具の内部構成を示す上面図である。
【図３】上記実施の形態１による穿刺器具に使用される穿刺針を示す斜視図である。
【図４（ａ）】上記実施の形態１による穿刺器具に使用される穿刺針を装填する使用方法を示す図である。
【図４（ｂ）】上記実施の形態１による穿刺器具に使用される穿刺針を装填する使用方法を示す図である。
【図４（ｃ）】上記実施の形態１による穿刺器具に使用される穿刺針を装填する使用方法を示す図である。
【図５（ａ）】上記実施の形態１による穿刺器具の穿刺準備の操作方法を示す図である。
【図５（ｂ）】上記実施の形態１による穿刺器具の穿刺準備の操作方法を示す図である。
【図５（ｃ）】上記実施の形態１による穿刺器具の穿刺準備の操作方法を示す図である。
【図６（ａ）】上記実施の形態１による穿刺器具に装着された穿刺針の廃棄動作を示す図である。
【図６（ｂ）】上記実施の形態１による穿刺器具に装着された穿刺針の廃棄動作を示す図である。
【図６（ｃ）】上記実施の形態１による穿刺器具に装着された穿刺針の廃棄動作を示す図である。
【図７】上記実施の形態１による穿刺器具による穿刺操作を示す斜視図である。
【図８】従来の穿刺器具の例を示す斜視図である。
【符号の説明】
【００３３】
１      穿刺器具
２      本体上ケース
３      本体ボトムケース
４      穿刺針保持ロッド
５      穿刺針
５ａ    穿刺針分離溝
６      ホイール軸支部
８      穿刺針セットレバー
８ａ    ホイール回動レバー部
８ｂ    セットレバー回動軸
９      穿刺針装填口
１０    穿刺針装填室
１１    フライホイール
１２    セットピン
１３    フライホイールセット用バネ
１４    レバー戻しバネ
１５    プッシュボタンバネ
１６    ホイール係合ピン
１７    穿刺ボタン
１８    先端キャップ
２０    逆回転防止ツメ
２０ａ  迎え角
４０    穿刺深さ調節リング
４１    穿刺針廃棄キャップ
１３０    筒状本体部分
１３１    突き出しロッド後端部
１３２    第１のバネ
１３３    下ケース
１３４    第２のバネ
１３６    穿刺部押圧面
１５３    キャップ
【図１】
2005176924.tif 000003
【図２（ａ）】
2005176924.tif 000004
【図２（ｂ）】
2005176924.tif 000005
【図３】
2005176924.tif 000006
【図４（ａ）】
2005176924.tif 000007
【図４（ｂ）】
2005176924.tif 000008
【図４（ｃ）】
2005176924.tif 000009
【図５（ａ）】
2005176924.tif 000010
【図５（ｂ）】
2005176924.tif 000011
【図５（ｃ）】
2005176924.tif 000012
【図６（ａ）】
2005176924.tif 000013
【図６（ｂ）】
2005176924.tif 000014
【図６（ｃ）】
2005176924.tif 000015
【図７】
2005176924.tif 000016
【図８】
2005176924.tif 000017